(57)【要約】【課題】画像生成装置から受信した医用画像を診断用に表示する医用画像管理装置において、オーダ生成装置で生成された検査オーダ情報を医用画像に容易に対応付けることを可能とする。【解決手段】医用画像管理装置５によれば、通信部５６によりリーダ３からの医用画像が受信された際に、制御部５１により、受信された医用画像が表示部５５に表示されるとともに、検査オーダ情報ＤＢ５３２に記憶されている検査オーダ情報の一覧を示す検査オーダリスト画面５５２が表示部５５に表示される。検査オーダリスト画面５５２から操作部５４により検査オーダ情報が選択されると、選択された検査オーダ情報が受信された医用画像に対応付けて画像ＤＢ５３１に記憶される。【選択図】図５
2011005169.tif 000002
【特許請求の範囲】
【請求項１】
検査オーダ情報を生成するオーダ生成装置及び医用画像を生成する画像生成装置とデータ送受信を行うための通信手段と、
前記通信手段を介して前記オーダ生成装置から受信された検査オーダ情報を記憶するための記憶手段と、
表示手段と、
操作手段と、
前記通信手段を介して前記画像生成装置から医用画像が受信された際に、当該受信された医用画像を前記表示手段に表示させるとともに前記記憶手段に記憶されている検査オーダ情報の一覧を前記表示手段に表示させ、前記一覧から前記操作手段により選択された検査オーダ情報を前記受信された医用画像に対応付けて前記記憶手段に記憶させる制御手段と、
を備える医用画像管理装置。
【請求項２】
前記制御手段は、前記記憶手段に記憶されている検査オーダ情報を一覧に表示する際に、各検査オーダ情報に対して既に医用画像に対応付けられているか否かを示す識別マークを付加して前記表示手段に表示させる請求項１に記載の医用画像管理装置。
【請求項３】
前記操作手段は、診断対象の患者を指定可能に構成され、
前記制御手段は、前記操作手段により予め指定された患者についての検査オーダ情報を前記記憶手段から検索し、当該検索された検査オーダ情報を前記表示手段に一覧表示させる請求項１又は２に記載の医用画像管理装置。
【請求項４】
前記検査オーダ情報には、検査内容を示す検査コードが含まれており、
前記制御手段は、前記選択された検査オーダ情報の検査コードが示す検査内容を文字列に変換して前記表示手段に表示させる請求項１〜３の何れか一項に記載の医用画像管理装置。
【請求項５】
コンピュータを、
通信手段を介してオーダ生成装置から受信された検査オーダ情報を記憶するための記憶手段、
前記通信手段を介して前記画像生成装置から医用画像が受信された際に、当該受信された医用画像を表示手段に表示させるとともに前記記憶手段に記憶されている検査オーダ情報の一覧を前記表示手段に表示させ、前記一覧から操作手段により選択された検査オーダ情報を前記受信された医用画像に対応付けて前記記憶手段に記憶させる制御手段、
として機能させるためのプログラム。
【発明の詳細な説明】
【技術分野】
【０００１】
本発明は、医用画像管理装置及びプログラムに関する。
【背景技術】
【０００２】
従来、開業医やクリニック等の小規模医療施設向けに、患者を撮影して得られた医用画像を簡単な操作で間違いなくその患者の患者情報と対応付けて保存するための各種技術が提案されている。例えば、特許文献１には、操作部により指定された患者の診断用画面が表示されている間に、放射線画像読取装置等の画像生成装置から医用画像が受信されると、オンラインボタンを点滅させ、点滅されたオンラインボタンが押下されると、受信された医用画像を上記診断用画面に表示するとともに自動的に上記指定された患者の患者情報に対応付けてデータベースに保存する医用画像管理装置が記載されている。
【先行技術文献】
【特許文献】
【０００３】
【特許文献１】特開２００８−２２８８９９号公報
【発明の概要】
【発明が解決しようとする課題】
【０００４】
上述の医用画像管理装置では、検査オーダ情報を発行せずに医用画像と患者情報との対応付けを行うことができ、小規模医療施設では便利である。しかしながら、上記の医用画像管理装置では検査オーダ情報と医用画像とを対応付けることができない。そのため、検査オーダ情報を発行するオーダ生成装置（例えば、ＨＩＳ（Hospital Information System）、ＲＩＳ（Radiology Information System）等）を有する医療施設において、検査オーダ情報を医用画像に付与する機能をもたない画像生成装置で撮影された医用画像に検査オーダ情報を対応付けることができず、検査オーダ情報による一元的な画像管理ができないという問題があった。
【０００５】
本発明の課題は、画像生成装置から受信した医用画像を診断用に表示する医用画像管理装置において、オーダ生成装置で生成された検査オーダ情報を医用画像に容易に対応付けることができるようにすることである。
【課題を解決するための手段】
【０００６】
上記課題を解決するため、請求項１に記載の発明の医用画像管理装置は、
検査オーダ情報を生成するオーダ生成装置及び医用画像を生成する画像生成装置とデータ送受信を行うための通信手段と、
前記通信手段を介して前記オーダ生成装置から受信された検査オーダ情報を記憶するための記憶手段と、
表示手段と、
操作手段と、
前記通信手段を介して前記画像生成装置から医用画像が受信された際に、当該受信された医用画像を前記表示手段に表示させるとともに前記記憶手段に記憶されている検査オーダ情報の一覧を前記表示手段に表示させ、前記一覧から前記操作手段により選択された検査オーダ情報を前記受信された医用画像に対応付けて前記記憶手段に記憶させる制御手段と、
を備える。
【０００７】
請求項２に記載の発明は、請求項１に記載の発明において、
前記制御手段は、前記記憶手段に記憶されている検査オーダ情報を一覧に表示する際に、各検査オーダ情報に対して既に医用画像に対応付けられているか否かを示す識別マークを付加して前記表示手段に表示させる。
【０００８】
請求項３に記載の発明は、請求項１又は２に記載の発明において、
前記操作手段は、診断対象の患者を指定可能に構成され、
前記制御手段は、前記操作手段により予め指定された患者についての検査オーダ情報を前記記憶手段から検索し、当該検索された検査オーダ情報を前記表示手段に一覧表示させる。
【０００９】
請求項４に記載の発明は、請求項１〜３の何れか一項に記載の発明において、
前記検査オーダ情報には、検査内容を示す検査コードが含まれており、
前記制御手段は、前記選択された検査オーダ情報の検査コードが示す検査内容を文字列に変換して前記表示手段に表示させる。
【００１０】
請求項５に記載の発明のプログラムは、
コンピュータを、
通信手段を介してオーダ生成装置から受信された検査オーダ情報を記憶するための記憶手段、
前記通信手段を介して前記画像生成装置から医用画像が受信された際に、当該受信された医用画像を表示手段に表示させるとともに前記記憶手段に記憶されている検査オーダ情報の一覧を前記表示手段に表示させ、前記一覧から操作手段により選択された検査オーダ情報を前記受信された医用画像に対応付けて前記記憶手段に記憶させる制御手段、
として機能させる。
【発明の効果】
【００１１】
本発明によれば、画像生成装置から受信した医用画像を診断用に表示する医用画像管理装置において、オーダ生成装置で生成された検査オーダ情報を医用画像に容易に対応付けることが可能となる。
【図面の簡単な説明】
【００１２】
【図１】本発明の実施の形態における医用画像管理システムの全体構成を示す図である。
【図２】図１の医用画像管理装置の機能的構成を示すブロック図である。
【図３】図２の表示部に表示される患者情報リスト画面の一例を示す図である。
【図４】図２の表示部に表示されるビューア画面の一例を示す図である。
【図５】図２の制御部により実行されるＣＲ画像取込制御処理を示すフローチャートである。
【図６】図４のビューア画面に表示される検査オーダリスト画面の一例を示す図である。
【発明を実施するための形態】
【００１３】
以下、図面を参照して本発明に係る実施の形態を詳細に説明する。ただし、発明の範囲は、図示例に限定されない。
【００１４】
〔医用画像管理システム１００の構成〕
図１に、本実施の形態における医用画像管理システム１００の全体構成例を示す。
図１に示すように、医用画像管理システム１００は、受付装置１、オーダ生成装置２、リーダ３、ＣＴ（Computed Tomography）装置４、医用画像管理装置５がＬＡＮ（Local Area Network）、ＷＡＮ（Wide Area Network）等の通信ネットワークＮを介して相互にデータの送受信が可能に接続されて構成されている。
【００１５】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施の形態に適用可能な通信方式はこれに限定されない。
【００１６】
以下、医用画像管理システム１００を構成する各装置について説明する。
受付装置１は、来院した患者の受付登録、会計計算、保険点数計算等を行うためのコンピュータ装置である。受付装置１は、ＣＰＵ（Central Processing Unit）等により構成される制御部、ＨＤＤ（Hard Disk Drive）やＲＡＭ等により構成される記憶部、キーボードやマウス等により構成される入力部、ＣＲＴ（Cathode Ray Tube）やＬＣＤ（Liquid Crystal Display）等により構成される表示部、通信ネットワークＮに接続された各装置との通信を制御する通信部（いずれも図示せず）等を備えて構成されている。受付装置１は、入力部より受付入力画面の表示が指示されると、制御部と記憶部に記憶されたプログラムとの協働により、表示部に図示しない受付入力画面を表示する。この受付入力画面を介して入力部により受付情報（受付番号＋患者氏名等）が入力されると、受付された患者の患者情報リストを作成（更新）して記憶部に記憶し、通信部により適宜医用画像管理装置５に対して送信する。
【００１７】
オーダ生成装置２は、オペレータによる登録操作に応じて検査オーダ情報を生成する。オーダ生成装置２としては、例えば、ＨＩＳやＲＩＳ等を適用することができる。検査オーダ情報は、検査オーダ情報を識別するためのオーダＩＤ、検査日付、検査対象の患者情報（患者ＩＤ、患者氏名、性別、年齢等）、依頼医師名、モダリティ（画像生成装置）、検査コード等の情報を含む。検査コードは、検査内容（撮影する部位、方向、左右、予約手続記述、検査記述、シリーズ記述等）を示すコード値である。検査コードは、ＤＩＣＯＭ規格に準拠したものである。
オーダ生成装置２は、生成された検査オーダ情報を医用画像管理装置５に送信する。また、オーダ生成装置２は、生成された検査オーダ情報をＣＴ装置４に送信する。
【００１８】
リーダ（ＣＲ（Computed Radiography））３は、ＣＲカセッテ（図示せず）に記録されている放射線画像情報を読み取って医用画像を生成する画像生成装置である。リーダ３は、輝尽性蛍光体シートに被写体の放射線画像情報が記録されたＣＲカセッテが装填されると、装置内に装填されたＣＲカセッテ内の輝尽性蛍光体シートに励起光を照射し、これによりシートから発光される輝尽光を光電変換し、得られた画像信号をＡ／Ｄ変換して医用画像の画像データを生成する。そして、生成された医用画像にＵＩＤ（Unique ＩＤ）を付与して医用画像管理装置５に送信する。ＵＩＤは、医用画像管理システム１００において医用画像を識別するためのＩＤであり、撮影日時、モダリティ種等により構成される。
ここで、リーダ３は、放射線撮影済みのＣＲカセッテの読み取りを行うものであるため、放射線技師等の撮影実施者は、リーダ３においては撮影する部位や方向等の検査内容を示す検査オーダ情報を参照する必要はない。そのため、オーダ生成装置２において生成された検査オーダ情報はリーダ３には送信されず、従って、リーダ３において生成された医用画像には検査コードを始めとする検査オーダ情報は付与されない。
【００１９】
ＣＴ装置４は、被写体の周囲を回転可能な放射線（Ｘ線）源、被写体を挟んで放射線源の反対側に位置する放射線検出器、被写体を放射線源に対して平行移動させるスライド台、画像処理を行うコンピュータを備え、被写体を放射線撮影し断層画像を生成する画像生成装置である。また、ＣＴ装置４は、オーダ生成装置２から受信した検査オーダ情報を表示する表示部を有する。撮影実施者は、表示部に表示された検査オーダ情報を確認し、検査オーダ情報に従って撮影を行う。撮影により得られた医用画像には、付帯情報として検査オーダ情報、ＵＩＤが付帯される。
なお、本実施形態において、医用画像に検査オーダ情報等の付帯情報を付帯させる場合は、ＤＩＣＯＭ画像ファイル形式でヘッダ部に検査オーダ情報が書き込まれる。
【００２０】
医用画像管理装置５は、リーダ３やＣＴ装置４から送信された医用画像を取り込んで医師による診断のために表示したり、外部に出力したりするコンピュータ装置である。また、医用画像管理装置５は、取り込んだ医用画像を患者情報と対応付けて保存する。更に、取り込んだ医用画像がリーダ３から送信されたものである場合は、医用画像管理装置５は、その医用画像にオーダ生成装置２から送信された検査オーダ情報を対応付けて保存する。
【００２１】
図２に、医用画像管理装置５の機能構成例を示す。
医用画像管理装置５は、図２に示すように、制御部５１、ＲＡＭ５２、記憶部５３、操作部５４、表示部５５、通信部５６、メディアドライブ５７等を備えて構成されており、各部はバス５８により接続されている。
【００２２】
制御部５１は、ＣＰＵ（Central Processing Unit）等により構成され、記憶部５３に
記憶されているシステムプログラムや処理プログラム等の各種プログラムを読み出してＲＡＭ５２に展開し、展開されたプログラムに従って後述するＣＲ画像取込制御処理（図５参照）をはじめとする各種処理を実行する。
【００２３】
ＲＡＭ５２は、制御部５１により実行制御される各種処理において、記憶部５３から読み出された制御部５１で実行可能な各種プログラム、入力若しくは出力データ、及びパラメータ等の一時的に記憶する。例えば、ＲＡＭ５２は、受付装置１から受信された患者情報のリストを記憶する。
【００２４】
記憶部５３は、ＨＤＤ（Hard Disk Drive）や半導体の不揮発性メモリ等により構成さ
れる。記憶部５３は、前述のように各種プログラムを記憶しているほか、医用画像を診断に適した画質に調整するための画像処理パラメータ（階調処理に用いる階調曲線を定義したルックアップテーブル、周波数処理の強調度等）等を記憶している。
【００２５】
また、記憶部５３は、リーダ３やＣＴ装置４から取り込まれた医用画像を格納するための画像ＤＢ（Data Base）５３１を記憶している。
画像ＤＢ５３１は、画像ＤＢ５３１に記憶されている医用画像に関する管理情報を格納する画像管理テーブルを有している。画像管理テーブルには、例えば、各医用画像についての管理情報が１レコードとして格納される。管理情報には、ＵＩＤ（受信した医用画像に付与されているＵＩＤ）、患者情報、オーダＩＤ、ファイル情報（画像ファイルのファイル名、ファイル格納場所、更新日付、ファイルサイズ等）が含まれる。
【００２６】
また、記憶部５３は、検査オーダ情報ＤＢ５３２を記憶している。検査オーダ情報ＤＢ５３２は、オーダ生成装置２から送信された検査オーダ情報と、当該検査オーダ情報に対応する医用画像のＵＩＤとを対応付けて記憶する。
【００２７】
更に、記憶部５３は、検査コードマッピングテーブル５３３を記憶している。検査コードマッピングテーブルは、上述の検査コードのコード値と、その検査コードが示す検査内容（撮影する部位、方向、左右、予約手続記述、検査記述、シリーズ記述）を示す文字列とを対応付けて記憶する。
【００２８】
操作部５４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。
【００２９】
表示部５５は、例えば、ＣＲＴ（Cathode Ray Tube）やＬＣＤ（Liquid Crystal Display）等のモニタを備えて構成されており、制御部５１から入力される表示信号の指示に従って、各種画面を表示する。
【００３０】
通信部５６は、ネットワークインターフェース等により構成され、スイッチングハブを介して通信ネットワークＮに接続された外部機器、例えば、受付装置１、オーダ生成装置２、リーダ３、ＣＴ装置４等との間でデータの送受信を行う。
【００３１】
メディアドライブ５７は、ＣＤ−Ｒ（Compact Disk Recordable）やＤＶＤ−Ｒ（Digital Versatile Disk Recordable）、ＭＯ（Magnet Optical）ディスク等の可搬型の記録メディアＭが着脱可能に構成され、装着された記録メディアＭに対しデータの読み出し又は書き込みを行う装置である。
【００３２】
〔医用画像管理システム１００の動作〕
次に、医用画像管理システム１００の動作について説明する。
【００３３】
〔受付装置１の動作〕
患者が来院すると、受付装置１において、患者の受付番号（番号札の番号等）及び患者氏名等の患者情報の入力（受付入力）が行われる。受付装置１においては、患者の受付番号及び患者情報等が入力されると、患者情報のリスト（患者情報リスト）が生成（更新）され、受付装置１内の記憶部の所定領域に格納される。患者情報リストは、例えば、その日の最初の患者が受付入力されると生成され、次の患者が受付入力される毎に新しい患者情報リストに更新される。患者情報リストは、受付装置１内の記憶部から適宜医用画像管理装置５に送信される。
【００３４】
〔オーダ生成装置２の動作〕
患者に対して検査が必要な場合、オーダ生成装置２において検査オーダ情報の入力が行われ、入力された検査オーダ情報がデータベースに追加登録される。追加登録された検査オーダ情報は、ＣＴ装置４及び医用画像管理装置５の要求に応じてＣＴ装置４及び医用画像管理装置５に送信される。
【００３５】
〔医用画像管理装置５の動作〕
医用画像管理装置５においては、制御部５１とプログラムとの協働により、以下の動作が行われる。
通信部５６により受付装置１からの患者情報リストが受信されると、受信された患者情報リストによってＲＡＭ５２の患者情報リストが更新される。また、所定時間毎にオーダ生成装置２に新たに登録された検査オーダ情報の取得要求が行われ、通信部５６により検査オーダ情報が受信されると、受信された検査オーダ情報が検査オーダ情報ＤＢ５３２に追加登録される。検査オーダ情報の取得要求は、医用画像管理装置５において医用画像に割り当てる必要のある検査オーダ情報、即ち、モダリティが「リーダ３」である検査オーダ情報を指定して行われる。
操作部５４により患者情報リスト画面５５０の表示が指示されると、ＲＡＭ５２に記憶されている患者情報リストが読み出され、表示部５５に患者情報リスト画面５５０が表示される。
【００３６】
図３に、患者情報リスト画面５５０の一例を示す。図３に示すように、患者情報リスト画面５５０には、来院した患者の診療日、受付時間、受付番号、診療料、担当医、患者ＩＤ、患者氏名（漢字・カナ・ＡＳＣＩＩ）、性別、生年月日、年齢といった患者情報が一覧として表示される。なお、患者情報リスト画面５５０に表示される内容はここに例示したものに限定されない。このうちの一部のみでもよいし、さらに多くの項目が表示されるようになっていてもよい。
操作部５４により診断対象となる患者が患者情報リスト画面５５０から指定されると、指定された患者のビューア画面５５１が表示部５５に表示される。
【００３７】
図４に、ビューア画面５５１の一例を示す。ビューア画面とは、診断に用いる医用画像を表示し、医師が読影診断を行うための診断用画面である。図４に示すように、ビューア画面５５１には、患者表示欄７１、リスト画面ボタン７２、画像表示欄７３ａ〜７３ｂ、画像取込ボタン７４ａ、画像取込ボタン７４ｂ、各種ツールボタン７５、過去画像選択ボタン７６、「書込み」ボタン７８ａ、「送信」ボタン７８ｂ、「診断終了」ボタン７９等が設けられている。
【００３８】
患者表示欄７１は、診断対象として指定された患者の患者ＩＤ及び患者氏名を表示する。この患者表示欄７１により、現在どの患者のビューア画面５５１が表示されているかを医師が視認できるようになっている。
リスト画面ボタン７２は、患者情報リスト画面５５０に戻る指示を入力するためのボタンである。
画像表示欄７３ａ〜７３ｂは、医用画像を表示するための領域である。
画像取込ボタン７４ａは、リーダ３において取得された医用画像を現在診断対象となっている患者（患者表示欄７１に表示されている患者）の医用画像として取り込む指示を入力するためのボタンである。
画像取込ボタン７４ｂは、ＣＴ装置４において取得された医用画像を現在診断対象となっている患者（患者表示欄７１に表示されている患者）の医用画像として取り込む指示を入力するためのボタンである。
各種ツールボタン７５は、画像表示欄７３ａ〜７３ｂに表示された医用画像を見やすく表示するための各種機能を実行させるためのボタンである。
過去画像選択ボタン７６は、過去に行われた検査の日付が表示されており、この中から日付が選択されると、選択された日付の過去検査が画像ＤＢ５３１から読み出されて画像表示欄７３ａ〜７３ｂに表示される。  
「書込み」ボタン７８ａは、表示されている医用画像を記録メディアＭに書き込むことを指示するためのボタンである。「送信」ボタン７８ｂは、表示されている医用画像をＰＡＣＳ等の外部装置に送信することを指示するためのボタンである。
「診断終了」ボタン７９は、ビューア画面５５１を閉じて診断を終了する指示を入力するためのボタンである。
【００３９】
医師は、操作部５４により画像取込ボタン７４ａ又は画像取込ボタン７４ｂを押下することにより、当該患者について行われた検査の医用画像を取り込んで表示し、診断を行うことができる。
【００４０】
操作部５４により画像取込ボタン７４ａが押下されると、制御部５１により、ＣＲ画像取込制御処理が実行される。図５に、ＣＲ画像取込制御処理のフローチャートを示す。ＣＲ画像取込制御処理は、制御部５１と記憶部５３に記憶されているプログラムとの協働により実行される。
【００４１】
まず、通信部５６においてリーダ３から送信された医用画像が受信されたか否かが判断される（ステップＳ１）。通信部５６においてリーダ３から送信された医用画像が受信されたと判断されると（ステップＳ１；ＹＥＳ）、受信された医用画像が表示部５５において表示されているビューア画面５５１の画像表示欄７３ａ〜７３ｂの何れかに表示され（ステップＳ２）、診断対象の患者として指定されている患者の患者情報、即ち、ビューア画面５５１の表示対象となっている患者の患者情報と対応付けて記憶部５３に記憶される（ステップＳ３）。具体的には、受信された医用画像が画像ＤＢ５３１に格納されるとともに、取り込まれた各医用画像に関する情報、即ち、ＵＩＤ、患者情報、ファイル格納場所等が画像管理テーブルに格納される。患者情報としては、ＲＡＭ５２に記憶されている患者情報リストのうち、ステップＳ２で指定された患者の患者情報が格納される。
【００４２】
次いで、診断対象として指定された患者と患者情報（例えば、患者ＩＤ等）が一致し、検査日付が本日である検査オーダ情報が検査オーダ情報ＤＢ５３２から検索される（ステップＳ４）。そして、検索された検査オーダ情報が検査オーダリスト画面５５２に一覧表示される（ステップＳ５）。
【００４３】
図６に、検査オーダリスト画面５５２の一例を示す。
検査オーダリスト画面５５２は、ステップＳ２において表示された医用画像上に表示される。これにより、複数の医用画像がビューア画面５５１に表示されている場合、検査オーダリスト画面５５２がどの医用画像に対応付ける検査オーダ情報を選択するための画面かを医師が容易に認識することができる。
【００４４】
検査オーダリスト画面５５２は、リスト表示領域５５２ａと、マッピング情報表示領域５５２ｂと、「ＯＫ」ボタン５５２ｃと、「キャンセル」ボタン（「ＮＧ」ボタン）５５２ｄと、を有する。
リスト表示領域５５２ａには、検索された検査オーダ情報、即ち、ビューア画面５５１に対応する患者の本日検査予定の検査オーダ情報のうち、予め定められた項目の情報（例えば、「依頼医師名」「モダリティ」「検査コード」「予約手続記述」等）が一覧表示される。リスト表示領域５５２ａに表示された各検査オーダ情報には、その検査オーダ情報が既に当該検査オーダリスト画面５５２の表示されている医用画像（対象画像と呼ぶ）に対応付けられているか、他の医用画像に対応付けられているか、どの画像にも対応付けられていないのかを示す識別マーク５５２ｅが表示される。図６において、黒丸の識別マーク５５２ｅは、その検査オーダ情報が対象画像に対応付けられていることを示し、白丸の識別マーク５５２ｅは、その検査オーダ情報が他の対象画像に対応付けられていることを示す。識別マーク５５２ｅが表示されていないものは、その検査オーダ情報がどの画像にも対応付けられていないことを示す。識別マーク５５２ｅは、検査オーダ情報ＤＢ５３２においてその検査オーダ情報にＵＩＤが対応付けられているか、対応付けられている場合は対象画像のＵＩＤであるか、に基づいて表示される。操作部５４によりリスト表示領域５５２ａに表示された一覧から検査オーダ情報が選択されると、選択された検査オーダ情報の検査コードと文字列とのマッピングが行われ、マッピング情報領域５５２ｂに表示される。
「ＯＫ」ボタン５５２ｃは、リスト表示領域５５２ａにおいて操作部５４により選択された検査オーダ情報を対象画像に対応付けることを指示するためのボタンである。「キャンセル」ボタン５５２ｄは、何も処理をせずに検査オーダリスト画面５５２を閉じることを指示するためのボタンである。
【００４５】
操作部５４により検査オーダリスト画面５５２から検査オーダ情報が選択されると（ステップＳ６；ＹＥＳ）、記憶部５３に記憶されている検査コードマッピングテーブル５３３が参照され、選択された検査オーダ情報の検査コードのコード値が文字列に変換されてマッピング情報表示領域５５２ｂに表示される（ステップＳ７）。ステップＳ７の処理によって、検査コードが人間の認識できる文字列に変換されて表示されるので、医師は各検査オーダ情報の検査内容を容易に確認することが可能となる。
【００４６】
次いで、操作部５４により「ＯＫ」ボタン５５２ｃが押下されたか否かが判断され、「ＯＫ」ボタン５５２ｃが押下されたと判断されると（ステップＳ８；ＹＥＳ）、ステップＳ６において選択された検査オーダ情報が対象画像に対応付けられる（ステップＳ９）。具体的には、ステップＳ３で画像ＤＢ５３１の画像管理テーブルに追加されたレコードの「オーダＩＤ」に、選択された検査オーダ情報のオーダＩＤが格納される。また、検査オーダ情報ＤＢ５３２における選択された検査オーダ情報に、対象画像のＵＩＤが格納される。そして、表示部５５に表示されている検査オーダリスト画面５５２が閉じられ（ステップＳ１１）処理はステップＳ１２に移行する。
【００４７】
ステップＳ８において、操作部５４により「ＯＫ」ボタン５５２ｃが押下されていないと判断されると（ステップＳ８；ＮＯ）、操作部５４により「キャンセル」ボタン５５２ｄが押下されたか否かが判断され、押下されていないと判断されると（ステップＳ１０；ＮＯ）、処理はステップＳ６に戻る。「キャンセル」ボタン５５２ｄが押下されたと判断されると（ステップＳ１０；ＹＥＳ）、表示されている検査オーダリスト画面５５２が閉じられ（ステップＳ１１）、処理はステップＳ１２に移行する。
【００４８】
ステップＳ１２においては、操作部５４により画像取込ボタン７４ａが再度押下されることにより画像取込の解除が指示されたか否かが判断される。画像取込の解除が指示されていないと判断されると（ステップＳ１２；ＮＯ）、処理はステップＳ１に戻る。画像取込の解除が指示されたと判断されると（ステップＳ１２；ＹＥＳ）、ＣＲ画像取込制御処理は終了する。
【００４９】
ここで、図６に示すように、医用画像が表示されたビューア画面５５１の各画像表示欄７３ａ〜７３ｂには、オーダ修正アイコン７７が表示されており、操作部５４により当該オーダ修正アイコン７７が押下されると、検査オーダリスト画面５５２を再度表示することができ、その画像表示欄７３ａ又は７３ｂに表示されている医用画像に対応付けられた検査オーダ情報を修正することができる。即ち、検査オーダリスト画面５５２から新たな検査オーダ情報が選択されると、画像ＤＢ５３１及び検査オーダ情報ＤＢ５３２の内容が更新される。
【００５０】
上述のＣＲ画像取込制御処理によって検査オーダ情報が対応付けられた医用画像が外部に出力される場合、検査オーダ情報が医用画像に付帯されて出力される。
例えば、ビューア画面５５１上で操作部５４により出力対象の医用画像が選択操作され、「書込み」ボタン７８ａが押下されると、選択された医用画像のＵＩＤをキー情報として画像ＤＢ５３１の画像管理テーブルが検索され、選択された医用画像に関するレコードが取得される。そして、取得されたレコードの「オーダＩＤ」とオーダＩＤが一致するレコードが検査オーダ情報ＤＢ５３２から検索され、検索されたレコードの検査オーダ情報が医用画像に付帯され、この検査オーダ情報が付帯された医用画像がメディアドライブ５７により記録メディアＭに書き込まれる。
また、ビューア画面５５１上で操作部５４により医用画像が選択操作され、「送信」ボタン７８ｂが押下されると、選択された医用画像のＵＩＤをキー情報として画像ＤＢ５３１の画像管理テーブルが検索され、選択された医用画像に関するレコードが取得される。そして、取得されたレコードの「オーダＩＤ」とオーダＩＤが一致するレコードが検査オーダ情報ＤＢ５３２から検索され、検索されたレコードの検査オーダ情報が医用画像に付帯され、この検査オーダ情報が付帯された医用画像が通信部５６によりあて先のアドレスに送信される。
検査オーダ情報に含まれる検査コードは、上述のようにＤＩＣＯＭ規格に準拠しているので、検査オーダ情報を医用画像に付帯させて出力することで、送信先や記録メディアＭからの医用画像の取込先においてその医用画像の検査内容を容易に認識することができる。
【００５１】
一方、ビューア画面５５１において操作部５４により画像取込ボタン７４ｂが押下された場合は、図５に示すステップＳ４〜Ｓ１１の処理が省略された処理となり、受信された医用画像はビューア画面５５１に表示され、指定された患者の患者情報と対応付けて画像ＤＢ５３１に記憶される。具体的には、受信された医用画像が画像ＤＢ５３１に格納されるとともに、取り込まれた各医用画像に関する情報、即ち、ＵＩＤ、患者情報、ファイル格納場所等が画像ＤＢ５３１の画像情報テーブルに格納される。また、医用画像に付帯されている検査オーダ情報のオーダＩＤが画像ＤＢ５３１の画像管理テーブルに格納される。
【００５２】
以上説明したように、医用画像管理装置５によれば、通信部５６によりリーダ３からの医用画像が受信された際に、制御部５１により、受信された医用画像が表示部５５に表示されるとともに、検査オーダ情報ＤＢ５３２に記憶されている検査オーダ情報の一覧を示す検査オーダリスト画面５５２が表示部５５に表示される。検査オーダリスト画面５５２から操作部５４により検査オーダ情報が選択されると、選択された検査オーダ情報が受信された医用画像に対応付けて画像ＤＢ５３１に記憶される。
【００５３】
従って、医用画像管理装置５において、オーダ生成装置２で生成された検査オーダ情報をリーダ３等の検査オーダ情報を付帯する機能を持たない画像生成装置により生成された医用画像に容易に対応付けることが可能となる。その結果、医用画像管理システム１００内で生成された医用画像のすべてに検査オーダ情報を対応付けることが可能となり、保存されている医用画像を検査オーダ情報により一元的に管理することが可能となる。また、検査オーダ情報はＤＩＣＯＭ規格に準拠した検査コードを含んでいるので、検査オーダ情報が付帯された医用画像を外部に出力した際に、出力先がＤＩＣＯＭ規格に準拠した装置であれば検査内容を容易に特定することが可能となる。
【００５４】
また、表示部５５に検査オーダ情報を一覧に表示する際には、各検査オーダ情報に対して当該検査オーダ情報が既に医用画像に対応付けられているか否かを示す識別マーク５５２ｅが付加して表示されるので、医用画像に対応付けるべき検査オーダ情報を一覧から容易に選択することが可能となる。
【００５５】
また、操作部５４により予め指定された診断対象の患者、即ちビューア画面５５１の表示対象となっている患者についての検査オーダ情報が検査オーダ情報ＤＢ５３２から検索され、検査オーダリスト画面５５２に一覧表示されるので、医師等の操作者は、医用画像に対応付けるべき検査オーダ情報を一覧から容易に選択することが可能となる。
【００５６】
また、検査オーダリスト画面５５２には、選択された検査オーダ情報の検査コードの示す検査内容が文字列に変換されて表示されるので、医師等が検査オーダ情報に含まれる検査内容を容易に認識することが可能となる。
【００５７】
なお、上記実施の形態における記述内容は、本発明の好適な一例であり、これに限定されるものではない。
【００５８】
例えば、上記実施の形態においては、リーダ３から受信された医用画像を検査オーダ情報に対応付ける場合を例にとり説明したが、これに限定されず、医用画像管理装置５において他の画像生成装置により生成された医用画像を検査オーダ情報と対応付けることとしてもよい。
【００５９】
また、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００６０】
その他、医用画像管理システム１００を構成する各装置の細部構成及び細部動作に関しても、発明の趣旨を逸脱することのない範囲で適宜変更可能である。
【符号の説明】
【００６１】
１００  医用画像管理システム
１  受付装置
２  オーダ生成装置
３  リーダ
４  ＣＴ装置
５  医用画像管理装置
５１  制御部
５２  ＲＡＭ
５３  記憶部
５３１  画像ＤＢ
５３２  検査オーダ情報ＤＢ
５３３  検査コードマッピングテーブル
５４  操作部
５５  表示部
５６  通信部
５７  メディアドライブ
５８  バス
５５０  患者情報リスト画面
５５１  ビューア画面
５５２  検査オーダリスト画面
Ｎ  通信ネットワーク
【図１】
2011005169.tif 000003
【図２】
2011005169.tif 000004
【図３】
2011005169.tif 000005
【図４】
2011005169.tif 000006
【図５】
2011005169.tif 000007
【図６】
2011005169.tif 000008